(57)【要約】  【課題】空気温度を０℃以下で運転する冷却ユニットにおいて、排水経路の凍結防止用加熱が必要となるが、ドレンパン３１やドレンパン３１を支持している断熱部材の材質が樹脂製の場合、変形を起こしやすくそのまま使えないという欠点があった。本発明は、大幅な構造体の違い無しに、オフサイクル方式とホットガス方式に構造・部品の共通化ができ、コストを抑えた冷却ユニットを提供する。  【解決手段】樹脂製ドレンパン３１の内部にホットガス配管３３を配設し、ホットガス配管３３に銅製プレート３４を設ける。【選択図】図３
2006234354.tif 000002
【特許請求の範囲】
【請求項１】
電動圧縮機と凝縮器と蒸発器とに冷媒を流通させる冷凍サイクルを備え、前記蒸発器の除霜にホットガス回路を設けるとともに、前記蒸発器の下部に備えた樹脂製ドレンパン内部にホットガス配管を配設した冷却ユニット。
【請求項２】
前記樹脂製ドレンパン内部の前記ホットガス配管に金属製プレートを接合した請求項１に記載の冷却ユニット。
【請求項３】
前記金属製プレートをドレン水排水路まで延伸した請求項２に記載の冷却ユニット。
【請求項４】
前記金属製プレートが波形状である請求項２に記載の冷却ユニット。
【請求項５】
前記金属製プレートにフィンを形成した請求項２に記載の冷却ユニット。
【請求項６】
物品を収納する収納室と、前記収納室を冷却する請求項１から５のいずれか一項に記載の冷却ユニットとを備え、貯蔵庫本体内の空気温度を０℃以下に維持した貯蔵庫。
【発明の詳細な説明】
【技術分野】
【０００１】
本発明は、米穀類、農産物などを収納、貯蔵する装置に取り付け、装置内部の温度を調節する冷却ユニットの技術に関するものである。
【背景技術】
【０００２】
従来の冷却ユニットに関するものとしては、例えば特許文献１がある。
【０００３】
以下、図面を参考にしながら上記従来の冷却ユニットを説明する。図７は、従来の冷却ユニットを取り付けた貯蔵庫の斜視図である。図８は、従来の冷却ユニットの平面断面図、図９は、従来の冷却ユニットにおけるドレンパンの斜視図を示している。
【０００４】
図７に示すように、貯蔵庫本体１０１は断熱構造で、玄米・野菜・その他食品が収納できる程度の大きさに形成され、前面は扉１０３により開閉可能とし、上面には冷却ユニット１０４が取り付けられている。貯蔵する食品の食味が低下するのを抑制するために、貯蔵庫本体１０１内の雰囲気を適切な条件に保持する手段として、冷却ユニット１０４により、貯蔵庫本体１０１内に冷気を流入、循環させている。
【０００５】
冷却ユニット１０４は、図８に示すように、電動圧縮機１と凝縮器２と蒸発器３との冷却部位により構成される冷凍サイクルを備えている。なお、４はキャピラリチューブ、５はドライヤー、６は蒸発器３に取り付けたファンである。
【０００６】
冷却ユニット１０４は、図８に示すように、蒸発器３の上流側に設けた吸い込み口７、および蒸発器３の下流側に設けた吹き出し口８とによって貯蔵庫本体１０１の内部と連通している。そして、貯蔵庫本体１０１内の空気は、ファン６により吸い込み口７から蒸発器３に流入して熱交換し、熱交換して冷気が吹き出し口８から貯蔵庫本体１０１内に流出されるので、貯蔵庫本体１０１内を冷気が循環し、貯蔵庫本体１０１内の温度を調節する。蒸発器３の部分は、冷凍サイクルにおいては最も低温の領域であるので、外気と接触して外気温により影響されるのを避けるために、断熱部材９により包囲して外気を遮断している。しかし、貯蔵庫本体１０１内の湿気などによって蒸発器３には着霜するので、除霜する必要がある。貯蔵庫本体１０１内の温度が２℃以上の場合は、数時間毎に１０分間、貯蔵庫本体１０１内の空気を蒸発器３に吹き付けるオフサイクル除霜方式により、蒸発器３の除霜を行っている。
【０００７】
蒸発器３の霜取りにより発生した水（ドレン水）は、蒸発器３の下方に位置させ、断熱部材９に設けた凹部に嵌着させた樹脂製のドレンパン１０に貯溜させるようにしている（図９参照）。そして、ドレンパン１０にはドレン水排水路１１を突設させており、ドレンパン１０に貯溜した水は、このドレン水排水路１１を通って断熱部材９の外部に排水するようにしている。
【特許文献１】特開２００２−８１８４６号公報
【発明の開示】
【発明が解決しようとする課題】
【０００８】
しかしながら、貯蔵庫本体内の空気温度を０℃以下に温度制御して運転する場合、除霜時にドレン水が凍結しないよう排水経路の凍結防止用加熱が必要となるが、上記従来の構成ではドレンパン１０やドレンパン１０を支持している断熱部材９の材質が樹脂製であることからヒーター等の加熱手段では変形を起こしやすく、構造体・材料を大きく変更せざるをえない（例えば、金属製のドレンパンに変更）ことから、部品の共通化が図れずコストアップになっているという欠点があった。
【０００９】
本発明は従来の課題を解決するもので、大幅な構造体の違い無しに、オフサイクル方式とホットガス方式に構造・部品の共通化ができ、コストを抑えた冷却ユニットを提供することを目的とする。
【課題を解決するための手段】
【００１０】
本発明の冷却ユニットは、蒸発器の除霜にホットガス方式を備えるとともに、蒸発器の下部に備えた樹脂製ドレンパン内部にホットガス配管を配設したものである。
【００１１】
これによって、樹脂製のドレンパン、ドレン水排水路、ドレンパンを支持している断熱部材の変形温度内で除霜運転ができるため、オフサイクル方式で使用しているこれらの部品をそのまま利用することができる。
【発明の効果】
【００１２】
本発明の冷却ユニットは、大幅な構造体の違い無しに、オフサイクル方式とホットガス方式に構造・部品の共通化ができ、コストを抑えた冷却ユニットを提供することができる。
【発明を実施するための最良の形態】
【００１３】
本発明の請求項１に記載の発明は、電動圧縮機と凝縮器と蒸発器とに冷媒を流通させる冷凍サイクルを備え、蒸発器の除霜にホットガス回路を設けるとともに、蒸発器の下部に備えた樹脂製ドレンパン内部にホットガス配管を配設したことにより、樹脂製のドレンパン、ドレン水排水路、ドレンパンを支持している断熱部材の変形温度内で除霜運転を可能とすることで、オフサイクル方式で使用しているこれらの樹脂部品をそのまま利用することができ、コストを抑えた冷却ユニットを提供することができる。
【００１４】
本発明の請求項２に記載の発明は、請求項１に記載の発明において、前記樹脂製ドレンパン内部の前記ホットガス配管に金属製プレートを接合したものであり、霜との接触面積が大きく取れ、霜を短時間で融解することができる。
【００１５】
本発明の請求項３に記載の発明は、請求項２に記載の発明において、前記金属製プレートをドレン水排水路まで延伸したものであり、排水路途中での霜残りや氷結を防止することができる。
【００１６】
本発明の請求項４に記載の発明は、請求項２に記載の発明において、前記金属製プレートが波形状としたものであり、金属製プレートを加工するだけの簡単な方法で、霜との接触面積がより大きく取れ、霜をより短時間で融解することができる。
【００１７】
本発明の請求項５に記載の発明は、請求項２に記載の発明において、前記金属製プレートにフィンを形成したものであり、霜との接触面積がより一層大きく取れ、霜をより一層短時間で融解することができる。
【００１８】
本発明の請求項６に記載の発明は、物品を収納する収納室と、前記収納室を冷却する請求項１から５のいずれか一項に記載の冷却ユニットとを備え、貯蔵庫本体内の空気温度を０℃以下に維持した貯蔵庫であり、これによって、樹脂製のドレンパン、ドレン水排水路、ドレンパンを支持している断熱部材の変形温度内で除霜運転ができるため、オフサイクル方式で使用しているこれらの部品をそのまま利用することができ、オフサイクル方式とホットガス方式に構造・部品の共通化ができ、コストを抑えた貯蔵庫を提供することができる。
【００１９】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２０】
（実施の形態１）
図１は、本発明の実施の形態１における冷却ユニットのドレンパンとホットガス配管の斜視図、図２はそれらの取付状態を表す斜視図である。２１はドレンパンでドレン水排水路２２を一体とした樹脂成型品で構成されている。また、ドレンパン２１内部にホットガス配管２３を配設している。
【００２１】
以上のように構成された冷却ユニットについて、以下その動作について説明する。
【００２２】
冷却ユニットの貯蔵庫を冷却する動作は従来例と同じであるので説明を省略する。除霜に関してホットガス除霜方式を採用しており、電動圧縮機１から吐出された冷媒を、直接蒸発器３に流すことで、霜を融解する。この冷却ユニットを運転することで、貯蔵庫本体内の収納室（図示せず）の空気温度を０℃以下に維持する。
【００２３】
蒸発器３の霜取りにより発生した水（ドレン水）は、蒸発器３の下方に位置する樹脂製のドレンパン２１に流れ落ち、一体化されたドレン水排水路２２を経て外部に排出される。ここでドレンパン２１上に水が滴状に残った場合、除霜完了後の冷却運転に戻った際に凍結し、次の除霜運転時において排水の妨害となるが、ドレンパン内部に配設したホットガス配管２３により、ドレンパン２１、ドレン水排水路２２が加熱され凍結した水（氷）を融解することで良好な排水状態が得られる。
【００２４】
ホットガス除霜の場合、ホットガス配管のパイプ表面温度は、ヒーター除霜でのヒーター表面温度と比較して、比較的低いため、ドレンパン２１の温度上昇が抑えられ、ドレンパン２１の変形温度内で除霜運転ができる。
【００２５】
以上のように、本実施の形態において、電動圧縮機１と凝縮器と蒸発器３とに冷媒を流通させる冷凍サイクルを備え、蒸発器３の除霜にホットガス回路を設けるとともに、蒸発器の下部に備えた樹脂製ドレンパン内部にホットガス配管を配設したことにより、樹脂製のドレンパン２１、ドレン水排水路２２、ドレンパン２１を支持している断熱部材の変形温度内で除霜運転を可能とすることで、オフサイクル方式で使用しているこれらの樹脂部品をそのまま利用することができ、コストを抑えた冷却ユニットを提供することができる。
【００２６】
（実施の形態２）
図３は、本発明の実施の形態２における冷却ユニットのドレンパンとホットガス配管の斜視図である。
【００２７】
図３において、３１はドレンパンでドレン水排水路３２を一体とした樹脂成型品で構成されている。また、ドレンパン３１内部に銅製プレート３４を接合したホットガス配管３３を配設している。
【００２８】
以上のように構成された冷却ユニットについて、以下その動作について説明する。この冷却ユニットを運転することで、貯蔵庫本体内の収納室（図示せず）の空気温度を０℃以下に維持する。
【００２９】
蒸発器３の霜取りにより発生した水（ドレン水）は、蒸発器３の下方に位置する樹脂製ドレンパン３１の内部に流れ落ちる。一部には霜のまま蒸発器より外れ、ドレンパン３１の内部に流れ落ちるものもある。霜の状態で外れ落ちたものは銅製プレート３４やホットガス配管３３上に残るが、銅製プレート３４およびホットガス配管３３は内部に高温ガスが流れるため、霜を融解しドレン水排水路３２を経て外部にドレン水を排出する。
【００３０】
ホットガス配管３３に銅製プレート３４を接合したことにより、霜との接触面積が大きく取れ、霜を短時間で融解することができる。
【００３１】
ホットガス除霜の場合、ホットガス配管のパイプ表面温度は、ヒーター除霜でのヒーター表面温度と比較して、比較的低いため、ドレンパン２１の温度上昇が抑えられ、ドレンパン２１の変形温度内で除霜運転ができる。
【００３２】
なお、本実施の形態では、金属製プレートとして、銅製プレート３４を用いたが、熱伝導性が良好な金属、たとえばアルミプレートを用いても同様な効果が得られる。
【００３３】
以上のように、本実施の形態において、蒸発器３の除霜にホットガス方式を備えるとともに、蒸発器３の下部に備えた樹脂製ドレンパン３１内部のホットガス配管に銅製プレートを接合した冷却ユニットにより、オフサイクル方式で使用しているこれらの樹脂部品をそのまま利用することができ、コストを抑えた冷却ユニットを提供することができるとともに、霜を短時間で融解することができる。
【００３４】
（実施の形態３）
図４は、本発明の実施の形態３による冷却ユニットのドレンパンとホットガス配管の斜視図である。
【００３５】
図４において、４１はドレンパンでドレン水排水路４２を一体とした樹脂成型品で構成されている。また、ドレンパン４１内部に銅製プレート４４を接合したホットガス配管４３を配設している。銅製プレート４４はドレン水排水路４２まで伸びている。
【００３６】
以上のように構成された冷却ユニットについて、以下その動作について説明する。この冷却ユニットを運転することで、貯蔵庫本体内の収納室（図示せず）の空気温度を０℃以下に維持する。
【００３７】
蒸発器３の霜取りにより発生した水（ドレン水）は、蒸発器３の下方に位置する樹脂製ドレンパン４１の内部に流れ落ちる。一部には霜のまま蒸発器より外れ、ドレンパン４１の内部に流れ落ちるものもある。霜の状態で外れ落ちたものは銅製プレート４４やホットガス配管４３上に残るが、銅製プレート４４およびホットガス配管４３は内部に高温ガスが流れるため、霜を融解しドレン水排水路４２を経て外部にドレン水を排出する。銅製プレート４４がドレン水排水路４２まで伸びていることで、排水路途中での霜残りや氷結が起こらず、健全的な排水が確保できる。
【００３８】
ホットガス除霜の場合、ホットガス配管のパイプ表面温度は、ヒーター除霜でのヒーター表面温度と比較して、比較的低いため、ドレンパン２１の温度上昇が抑えられ、ドレンパン２１の変形温度内で除霜運転ができる。
【００３９】
なお、本実施の形態では、金属製プレートとして、銅製プレート４４を用いたが、熱伝導性が良好な金属、たとえばアルミプレートを用いても同様な効果が得られる。
【００４０】
以上のように、本実施の形態において、蒸発器３の除霜にホットガス方式を備えるとともに、蒸発器３の下部に備えた樹脂製ドレンパン４１内部のホットガス配管４３に銅製プレート４４を接合し、銅製プレート４４の一部をドレン水排水路４２まで延伸した冷却ユニットにより、オフサイクル方式で使用しているこれらの樹脂部品をそのまま利用することができ、コストを抑えた冷却ユニットを提供することができるとともに、排水路途中での霜残りや氷結が起こらず、健全的な排水が確保できる。
【００４１】
（実施の形態４）
図５は、本発明の実施の形態４による冷却ユニットのドレンパンとホットガス配管の斜視図である。
【００４２】
図５において、５１はドレンパンでドレン水排水路５２を一体とした樹脂成型品で構成されている。また、ドレンパン５１内部に銅製プレート５４を接合したホットガス配管５３を配設している。銅製プレート５４は波形状に加工されている。
【００４３】
以上のように構成された冷却ユニットについて、以下その動作について説明する。この冷却ユニットを運転することで、貯蔵庫本体内の収納室（図示せず）の空気温度を０℃以下に維持する。
【００４４】
蒸発器３の霜取りにより発生した水（ドレン水）は、蒸発器３の下方に位置する樹脂製ドレンパン５１の内部に流れ落ちる。一部には霜のまま蒸発器３より外れ、ドレンパン５１の内部に流れ落ちるものもある。霜の状態で外れ落ちたものは銅製プレート５４やホットガス配管５３上に残るが、銅製プレート５４およびホットガス配管５３は内部に高温ガスが流れるため、霜を融解しドレン水排水路５２を経て外部にドレン水を排出する。銅製プレート５４が波形状に加工されているため、別部材を設けることなく面積を増やすことができ、銅製プレート５４を加工するだけの簡単な方法で霜との接触面積をより大きくとれ霜をより早く融解することができ、健全的な排水が確保できる。
【００４５】
ホットガス除霜の場合、ホットガス配管のパイプ表面温度は、ヒーター除霜でのヒーター表面温度と比較して、比較的低いため、ドレンパン２１の温度上昇が抑えられ、ドレンパン２１の変形温度内で除霜運転ができる。
【００４６】
なお、本実施の形態では、金属製プレートとして、銅製プレート５４を用いたが、熱伝導性が良好な金属、たとえばアルミプレートを用いても同様な効果が得られる。
【００４７】
以上のように、本実施の形態において、蒸発器３の除霜にホットガス方式を備えるとともに、蒸発器３の下部に備えた樹脂製ドレンパン５１内部のホットガス配管５３に波形状に加工された銅製プレート５４を接合した冷却ユニットにより、オフサイクル方式で使用しているこれらの樹脂部品をそのまま利用することができ、コストを抑えた冷却ユニットを提供することができるとともに、霜との接触面積をより大きくとれ霜をより早く融解することができ、健全的な排水が確保できる。
【００４８】
（実施の形態５）
図６は、本発明の実施の形態５による冷却ユニットのドレンパンとホットガス配管の斜視図である。
【００４９】
図６において、６１はドレンパンでドレン水排水路６２を一体とした樹脂成型品で構成されている。また、ドレンパン６１内部に銅製プレート６４を接合したホットガス配管６３を配設している。銅製プレート６４にはフィン６５が加工されている。
【００５０】
以上のように構成された冷却ユニットについて、以下その動作について説明する。この冷却ユニットを運転することで、貯蔵庫本体内の収納室（図示せず）の空気温度を０℃以下に維持する。
【００５１】
蒸発器３の霜取りにより発生した水（ドレン水）は、蒸発器３の下方に位置する樹脂製ドレンパン６１の内部に流れ落ちる。一部には霜のまま蒸発器より外れ、ドレンパン６１の内部に流れ落ちるものもある。霜の状態で外れ落ちたものは銅製プレート６４やホットガス配管６３上に残るが、銅製プレート６４およびホットガス配管６３は内部に高温ガスが流れるため、霜を融解しドレン水排水路６２を経て外部にドレン水を排出する。銅製プレート６４にフィン６５が加工されているため、霜との接触面積をより一層大きくとれ霜をより一層早く融解することができ、健全的な排水が確保できる。
【００５２】
ホットガス除霜の場合、ホットガス配管のパイプ表面温度は、ヒーター除霜でのヒーター表面温度と比較して、比較的低いため、ドレンパン２１の温度上昇が抑えられ、ドレンパン２１の変形温度内で除霜運転ができる。
【００５３】
なお、本実施の形態では、金属製プレートとして、銅製プレート６４を用いたが、熱伝導性が良好な金属、たとえばアルミプレートを用いても同様な効果が得られる。
【００５４】
なお、銅製プレート６４とフィン６５は、別部材としてろう付け・超音波接合などを用いて接合したり、あるいは、銅製プレート６４を押し出し成型し、銅製プレート６４とフィン６５を一体成型品としても良い。
【００５５】
以上のように、本実施の形態において、蒸発器３の除霜にホットガス方式を備えるとともに、蒸発器３の下部に備えた樹脂製ドレンパン６１内部のホットガス配管６３にフィン６５を設けた銅製プレート６４を接合した冷却ユニットにより、オフサイクル方式で使用しているこれらの樹脂部品をそのまま利用することができ、コストを抑えた冷却ユニットを提供することができるとともに、霜との接触面積をより一層大きくとれ霜をより一層早く融解することができ、健全的な排水が確保できる。
【産業上の利用可能性】
【００５６】
本発明の冷却ユニットは、蒸発器の除霜にホットガス方式を備えるとともに、蒸発器の下部に備えた樹脂製ドレンパン内部にホットガス配管を配設したことにより、樹脂製のドレンパン、ドレンパンを支持している断熱部材の変形も無く、オフサイクル方式で使用しているこれらの部品をそのまま利用することができるので、業務用冷蔵庫等の用途にも適用できる。
【図面の簡単な説明】
【００５７】
【図１】本発明の実施の形態１における冷却ユニットのドレンパンとホットガス配管の斜視図
【図２】同実施の形態の冷却ユニットのドレンパンとホットガス配管の取付状態を表す斜視図
【図３】本発明の実施の形態２における冷却ユニットのドレンパンとホットガス配管の斜視図
【図４】本発明の実施の形態３における冷却ユニットのドレンパンとホットガス配管の斜視図
【図５】本発明の実施の形態４における冷却ユニットのドレンパンとホットガス配管の斜視図
【図６】本発明の実施の形態５における冷却ユニットのドレンパンとホットガス配管の斜視図
【図７】従来の冷却ユニットを搭載している農産物低温貯蔵庫を示す斜視図
【図８】従来の冷却ユニットの平面断面図
【図９】従来の冷却ユニットのドレンパンを示す斜視図
【符号の説明】
【００５８】
２１、３１、４１、５１、６１  ドレンパン
２２、３２、４２、５２、６２  ドレン水排水路
２３，３３，４３、５３、６３  ホットガス配管
３４、４４、５４、６４  銅製プレート
６５  フィン
【図１】
2006234354.tif 000003
【図２】
2006234354.tif 000004
【図３】
2006234354.tif 000005
【図４】
2006234354.tif 000006
【図５】
2006234354.tif 000007
【図６】
2006234354.tif 000008
【図７】
2006234354.tif 000009
【図８】
2006234354.tif 000010
【図９】
2006234354.tif 000011